(57)【要約】【課題】手持ち花火を山や海岸でする際、風が強くても火がつけられてあそべる事。素足を火の粉から守る。雨の日でもお墓参りのお線香の着火が容易に行える事。野外などで手を使わずにライターの点火ができかつその点火装置には風防対策が施されていることを提供する。【解決手段】足踏み式のペダルでノズルの長いライターをスタンドに挿着しペダルを踏み込むことによって火を点火し同時に上下する防風カバーにて風防対策が施されていることを特徴とする風防カバー付ペダル式点火装置。【選択図】図１
2005009843.tif 000002
【特許請求の範囲】
【請求項１】
スタンドに足踏みペダルを装着させペダルを踏み込むことによってスタンドの先端に装着させた電子ライターが着火し、また踏み込んだペダルを離すことによって火が消える遠隔点火装置
【請求項２】
請求項１のスタンドにペダルを踏み込むことによって同時に上昇する耐火材で形成したカバーが風を防御しペダルを放すことによってもとの位置にもどる装置。またこれは取り外しや取替えが可能な構造。
【発明の詳細な説明】
【０００１】
【発明の属する技術分野】
本発明は一般家庭において野外で風の強い場合でも手持ち花火、線香等片手、両手いずれの手の拘束もなく安全に且つ確実に着火するための風防カバー付スタンド型遠隔点火装置に関するものである。
【０００２】
【従来の技術】
従来は一般にろうそく、電子ライター、ジェットライターなど用いられたりしている。また風防カバーに関しては特開２００１−２０８３４５にて公開されている防風対策ホルダーが存在する。またノズルの長いライター等を用いて点火を試みることも従来には存在する。しかし手の拘束または束縛なしに点火することは野外においては困難な状況下になっています。
【０００３】
【発明が解決しようとする課題】
イ．複数人の子供が手持ち花火を持ちライターで点火する場合、花火の着火後、火の粉が八方に飛び散りライターを持っている人の手が危険にさらされる。また風が強い場合は着火装置部を花火が点火するまで抑えつづけなければならなくなりライターが熱を持ち指が火傷する危険性がある。ろうそくの場合は風によりライターより鎮火しやすくまた、複数人の子供が同時にろうそくの炎に手持ち花火を近づけすぎると風同様鎮火しやすいのが問題であった。
ロ．線香の着火も同様で風が強い日は線香を持つ手と風除けの手が同じ手になるのでそのわずらわしさを解消する
上記イ．ロを含め野外（キャンプ、つり）で火を使用しようとする場合、手の拘束と風の影響は程度の差はあれ不便さを感じることがみうけられる。
【０００４】
そこで本発明は前記の問題を解消するためになされたものであり、その目的をするところは、安定した炎供給と風防効果、及び安全性確保という条件を両立させることである。
【０００５】
【課題を解決するための手段】
上記目的を達成する本発明の風防カバー付ペダル式スタンド点火装置はスタンドに足踏みペダルを装着し市販のノズルの長いライターを挿着しペダルとステンレス製の芯棒（鉤型に加工したもの）をライター点火装置部に設置し芯棒を主軸部に接続することによってライター点火部とペダルを接続させペダルを踏むことによってそのノズルの長いライターが指で点火する動作と同様の動作を引き起こすことが出きる構成のものである。
【０００６】また請求項２については上記主軸部にバネ２つ、滑車２つ、ワイヤー、芯棒、を主軸部に接続しペダルの踏み込む作用に対して風防カバーが上昇する動作を引き起こすことが出きる構成のものである
【０００７】
【発明の実施の形態】以下発明の実施の形態を図面を参照して説明する。まずライターがペダルで点火する仕組みについて説明する。図１において３のライターは市販のノズルの長いライターを２０のスタンド内部の挿着部に挿着する。そこにステンレス製の鉤型に加工した芯棒４をライターの点火装置に設置します。芯棒は１７の木製またはプラスチック製の板に貫通穴を設け芯棒の上下運動を安定させます。芯棒は２１主軸部の１９中央の支軸より右側にねじで固定します。ペダルは木製またはプラスチックあるいはステンレスとゴム板の合板製のものを使用します。２ペダルと２１主軸部はステンレス製の棒またはワイヤーで２２と１５をねじで固定します。
【０００８】図面１のバネ８は張力０の状態で１４と１３にビス等で固定し主軸部と固定板と繋げます。２１の主軸部は１９の軸を中心にシーソーの様に上下に動作するようになっており静止状態での接続は１９の支軸を中心に左側を下げ右側を上げた状態にします。
【０００９】図１の中で２のペダルを踏み込むことによって４の芯棒が同時に下方へ移動し先端のカギ方の部分がライターの点火装置を押さえ込み３のライターが点火する仕組みになっています。２のペダルを踏み込むことによって８のバネがもとに戻ろうとする力が働きペダルを放すことによって上記の静止状態を維持しライターの火が消えペダルがもとの位置に戻ります。
【００１０】次に風防作用について説明します。図４に示す通り１風防カバーは中央にライターノズルを貫通させる穴２７を空けてあります。その風防カバーをライターのノズルを通してスタンド２０の上部に設置します。このときライターのノズルの先端は約３ｃｍから５ｃｍスタンド２０の上面から出るように図面１の２８ガイド板が固定してあります。仕組みとしてはペダル２を踏むことによって芯棒６が上に上昇し風防カバー１を押し上げます。その際ライターのノズルにそって上がり先端が点火するタイミングで風防カバー１の上昇が停止し風から点火を防御します。またペダル２を踏みつづけることによって停止状態を維持しますので点火後の炎を維持したい時も風防状態を継続します。
【００１１】図面１の芯棒６が上に上昇するにはバネ７を張力を発生させた状態で固定します。バネ７の張力の度合いは風防カバーが上昇する距離に応じて調整します。バネ７を固定板１８にビス２４で固定します。芯棒６をバネ７の他方に引っ掛けまたバネ７の下先端１２リングにワイヤー１１をくくりつけます。
【００１２】ワイヤー１１はバネ７の張力がある状態でまず図２の滑車１０に行き図面２において滑車１０の右側から左側へ下を這わせ滑車９へ向かいます。滑車９にたどり着いたワイヤー１１は図面１の９の滑車のところを左側から右側へ上を這わせます。最後にワイヤー１１は２１主軸部の１３ビスとバネ８との接続場所へ行き、そこで前記の張力を維持した状態で１３ビス留めされます。
【００１３】この状態から２のペダルを踏むと張力を張りつづけているバネ７はバネ８が張力を発生することによりワイヤー１１と９，１０の滑車を通じて張力を開放させます。バネ７がビスで固定されている２４の方向に戻る力を利用して芯棒６を上昇させその力が風防カバーをも持ち上げている。
【００１４】
【本発明の効果】本発明を使用することによって次に記載するような効果を発する。
【００１５】野外で数人の子供たちが手持ち花火をするとき、ろうそくのようなライターとしてペダルを踏み点火し、数本の花火の同時点火もストレスなく行う事が可能となる。また花火の火の粉が飛び散るのを風防カバーが一時的に保護してくれるので素足による火傷の危険も除去させる。
【００１６】お墓参りの際の線香への点火にも使用が可能である。両手を拘束しない為、風が強い日や雨の日でもお線香への点火が容易に行える。特に雨の田ま傘を持ちながら片手にライターと他方の手に線香及び傘を持っているのでペダル式の点火装置は効力を発揮する。
【００１７】その他の使用としては例えばつりなどをしている際、他の人と釣り糸が絡まってしまって焼き切ろうなどとする場合、この状況も両手の拘束がある為ライターの点火が難しく２人以上で切断作業を行っていると推察される。またアウトドアでロープを焼き切りその端を火であぶり固定する場合などもスタンド式点火装置は便利に使用することが出来る。
【図面の簡単な説明】
【図１】本発明のＡ−Ａ’線断面図
【図２】本発明の左側断面図
【図３】本発明の右側断面図
【図４】本発明の外観斜視図
【符号の説明】
１．  風防カバー
２．  ペダル
３．  ノズルの長い市販のライター
４．  芯棒（ステンレス製）
５．  ペダルと主軸部の接続ワイヤー
６．  芯棒
７．  バネ
８．  バネ
９．  滑車
１０．滑車
１１．ワイヤー
１２．リング
１３．バネワイヤー固定ビス
１４．固定ビス
１５．固定ビス
１６．芯棒固定ビス
１７．補助固定板（貫通穴あり）
１８．補助固定板（貫通穴あり）
１９．支軸
２０．スタンド
２１．主軸板
２２．ペダルワイヤー固定ビス
２３．支軸固定補助板
２４．バネ７固定ビス
２５．炎
２６．バネ８固定補助板
２７．風防カバー貫通穴
２８．ライター固定補助板
【図１】
2005009843.tif 000003
【図２】
2005009843.tif 000004
【図３】
2005009843.tif 000005
【図４】
2005009843.tif 000006